(57)【要約】      （修正有）【課題】配送対象の食材の有効活用を支援することが可能な食材配送支援装置、食材配送支援方法、食材配送支援プログラムを提供する。【解決手段】食材配送支援システム１において食材配送支援装置２は、食材と前記食材が調理可能な施設とが対応付けられた対応情報に基づいて配送対象の食材の配送先施設の候補を検索する検索処理部２１２と、前記配送先施設の候補の検索結果を提示する提示処理部２１３と、前記提示処理部２１３により提示される前記配送先施設の候補のうちユーザー操作により選択された前記配送先施設を配送先として設定する設定処理部２１４とを備える。【選択図】図１
2019087147.tif 000002
【特許請求の範囲】
【請求項１】
食材と前記食材が調理可能な施設とが対応付けられた対応情報に基づいて配送対象の食材の配送先施設の候補を検索する検索処理部と、
前記配送先施設の候補の検索結果を提示する提示処理部と、
前記提示処理部により提示される前記配送先施設の候補のうちユーザー操作により選択された前記配送先施設を配送先として設定する設定処理部と、
を備える食材配送支援装置。
【請求項２】
前記検索処理部は、予め設定されるエリア、料理ジャンル、料理メニュー、利用時期、予算、テーマ、又はキーワードのいずれか一つ又は複数の項目に関する検索条件を満たす施設を前記配送先施設の候補として検索する、
請求項１に記載の食材配送支援装置。
【請求項３】
前記検索処理部は、前記利用時期の項目が検索条件として設定された場合は当該利用時期に利用可能な施設を前記配送先施設の候補として検索する、
請求項２に記載の食材配送支援装置。
【請求項４】
前記検索処理部は、前記食材に対応付けて予め設定された猶予期間経過以降を前記利用時期として検索する、
請求項２又は３に記載の食材配送支援装置。
【請求項５】
前記提示処理部は、前記キーワードの項目に検索条件として文字が設定された場合は当該文字を含む施設の情報と当該施設が利用可能な時期とを提示する、
請求項２〜４のいずれかに記載の食材配送支援装置。
【請求項６】
前記提示処理部は、前記施設が利用可能な時期のうち前記食材に対応付けて予め設定された猶予期間経過後の時期を利用可能な時期として提示する、
請求項５に記載の食材配送支援装置。
【請求項７】
前記提示処理部は、前記配送先施設の候補で前記配送対象の食材を使用可能な料理メニュー又はコースメニューを提示可能である、
請求項１〜６のいずれかに記載の食材配送支援装置。
【請求項８】
前記設定処理部は、前記食材を分割するための設定及び分割後の前記食材について異なる配送時期又は利用時期を設定可能である、
請求項１〜７のいずれかに記載の食材配送支援装置。
【請求項９】
前記設定処理部は、前記食材を分割するための設定及び分割後の前記食材について異なる前記配送先施設を設定可能である、
請求項１〜８のいずれかに記載の食材配送支援装置。
【請求項１０】
食材と前記食材が調理可能な施設とが対応付けられた対応情報に基づいて配送対象の食材の配送先施設の候補を検索するステップと、
前記配送先施設の候補の検索結果を提示するステップと、
前記提示される前記配送先施設の候補のうちユーザー操作により選択された前記配送先施設を配送先として設定するステップと、
をコンピュータによって実行する食材配送支援方法。
【請求項１１】
食材と前記食材が調理可能な施設とが対応付けられた対応情報に基づいて配送対象の食材の配送先施設の候補を検索するステップと、
前記配送先施設の候補の検索結果を提示するステップと、
前記提示される前記配送先施設の候補のうちユーザー操作により選択された前記配送先施設を配送先として設定するステップと、
をコンピュータに実行させるための食材配送支援プログラム。
【発明の詳細な説明】
【技術分野】
【０００１】
本発明は、ギフトとして贈られる食材の配送を支援する食材配送支援装置、食材配送支援方法、食材配送支援プログラムに関する。
【背景技術】
【０００２】
一般に、お中元又はお歳暮などの各種の機会にギフトとして肉類又は魚類などの食材が贈られることがある。
【発明の概要】
【発明が解決しようとする課題】
【０００３】
しかしながら、ギフトとして食材が贈られた場合、受取場所に飲食店舗のような調理設備が無かったり、料理人が居なかったりすれば、その配送対象の食材を活かした調理ができないこと、又はその食材を調理すること自体が困難な場合がある。
【０００４】
本発明の目的は、配送対象の食材の有効活用を支援することが可能な食材配送支援装置、食材配送支援方法、食材配送支援プログラムを提供することにある。
【課題を解決するための手段】
【０００５】
本発明に係る食材配送支援装置は、食材と前記食材が調理可能な施設とが対応付けられた対応情報に基づいて配送対象の食材の配送先施設の候補を検索する検索処理部と、前記配送先施設の候補の検索結果を提示する提示処理部と、前記提示処理部により提示される前記配送先施設の候補のうちユーザー操作により選択された前記配送先施設を配送先として設定する設定処理部と、を備える。
【０００６】
本発明に係る食材配送支援方法は、食材と前記食材が調理可能な施設とが対応付けられた対応情報に基づいて配送対象の食材の配送先施設の候補を検索するステップと、前記配送先施設の候補の検索結果を提示するステップと、前記提示される前記配送先施設の候補のうちユーザー操作により選択された前記配送先施設を配送先として設定するステップと、をコンピュータによって実行する方法である。
【０００７】
本発明に係る食材配送支援プログラムは、食材と前記食材が調理可能な施設とが対応付けられた対応情報に基づいて配送対象の食材の配送先施設の候補を検索するステップと、前記配送先施設の候補の検索結果を提示するステップと、前記提示される前記配送先施設の候補のうちユーザー操作により選択された前記配送先施設を配送先として設定するステップと、をコンピュータに実行させるためのプログラムである。
【発明の効果】
【０００８】
本発明によれば、配送対象の食材の有効活用を支援することが可能な食材配送支援装置、食材配送支援方法、食材配送支援プログラムが提供される。
【図面の簡単な説明】
【０００９】
【図１】図１は、本発明の実施形態に係る食材配送支援システムの構成を示すブロック図である。
【図２】図２は、本発明の実施形態に係る食材配送支援システムで使用される施設情報の一例を示す図である。
【図３】図３は、本発明の実施形態に係る食材配送支援システムで使用されるメニュー情報の一例を示す図である。
【図４】図４は、本発明の実施形態に係る食材配送支援システムで使用されるイベント情報の一例を示す図である。
【図５】図５は、本発明の実施形態に係る食材配送支援システムで使用されるユーザー情報の一例を示す図である。
【図６】図６は、本発明の実施形態に係る食材配送支援システムのユーザー端末に表示される回答ページの一例を示す図である。
【図７】図７は、本発明の実施形態に係る食材配送支援システムの食材配送支援装置において実行される食材配送支援処理の手順の一例を示すフローチャートである。
【図８】図８は、本発明の実施形態に係る食材配送支援システムのユーザー端末に表示される検索結果ページの一例を示す図である。
【図９】図９は、本発明の実施形態に係る食材配送支援システムのユーザー端末に表示される検索結果ページの一例を示す図である。
【発明を実施するための形態】
【００１０】
以下添付図面を参照しながら、本発明の実施形態について説明し、本発明の理解に供する。なお、以下の実施形態は、本発明を具体化した一例であって、本発明の技術的範囲を限定するものではない。また、以下の実施形態で説明する各構成及び各処理機能は必要に応じて取捨選択して任意に組み合わせることが可能である。
【００１１】
［食材配送支援システム１］
図１に示すように、本発明の実施形態に係る食材配送支援システム１は、食材配送支援装置２と、一又は複数のユーザー端末３と、一又は複数の施設端末４とを含む。食材配送支援装置２、ユーザー端末３、及び施設端末４は、インターネット、ＬＡＮ、ＷＡＮ、又は公衆電話回線などの通信網Ｎ１を介して通信可能である。
【００１２】
食材配送支援装置２は、ユーザー端末３からの要求に応じて食材などのギフトの配送を管理するための装置である。前記食材は、例えば、肉類、魚類、キノコ類、及び野菜類などである。なお、食材配送支援装置２が有する機能は複数のコンピュータによって分散して実現されてもよい。
【００１３】
［ユーザー端末３］
ユーザー端末３は、ギフトの配送依頼者であるユーザーによって操作される情報処理装置である。１台のユーザー端末３が複数のユーザーによって利用されてもよい。図１に示されるように、ユーザー端末３は、制御部３１、記憶部３２、操作表示部３３、及び通信Ｉ／Ｆ３４などを備える。ユーザー端末３は、例えば携帯電話、スマートフォン、タブレット端末、又はパーソナルコンピュータのような情報処理装置である。
【００１４】
通信Ｉ／Ｆ３４は、ユーザー端末３を有線又は無線で通信網Ｎ１に接続し、通信網Ｎ１を介して食材配送支援装置２などの外部機器との間で所定の通信プロトコルに従ったデータ通信を実行するための通信インタフェースである。
【００１５】
操作表示部３３は、各種のウェブページなどの情報を表示する液晶ディスプレイ又は有機ＥＬディスプレイのような表示部と、操作を受け付けるマウス、キーボード、又はタッチパネルなどの操作部とを備えるユーザーインタフェースである。
【００１６】
記憶部３２は、各種の情報を記憶するＨＤＤ（Ｈａｒｄ  Ｄｉｓｋ  Ｄｒｉｖｅ）、ＳＳＤ（Ｓｏｌｉｄ  Ｓｔａｔｅ  Ｄｒｉｖｅ）又はフラッシュメモリーなどの不揮発性の記憶部である。例えば、記憶部３２には、ブラウザプログラム等の制御プログラムが記憶される。具体的に、前記ブラウザプログラムは、ＨＴＴＰ（Ｈｙｐｅｒｔｅｘｔ  Ｔｒａｎｓｆｅｒ  Ｐｒｏｔｏｃｏｌ）等の通信プロトコルに従って食材配送支援装置２等の外部装置との間で通信処理を制御部３１に実行させるための制御プログラムである。
【００１７】
制御部３１は、ＣＰＵ、ＲＯＭ、及びＲＡＭなどの制御機器を有する。前記ＣＰＵは、各種の演算処理を実行するプロセッサである。前記ＲＯＭは、前記ＣＰＵに各種の処理を実行させるためのＢＩＯＳ及びＯＳなどの制御プログラムが予め記憶された不揮発性の記憶部である。前記ＲＡＭは、各種の情報を記憶する揮発性又は不揮発性の記憶部であり、前記ＣＰＵが実行する各種の処理の一時記憶メモリー（作業領域）として使用される。そして、制御部３１は、前記ＲＯＭ又は記憶部３２に予め記憶された各種の制御プログラムを前記ＣＰＵで実行することによりユーザー端末３を制御する。
【００１８】
具体的に、制御部３１は、記憶部３２に記憶されている前記ブラウザプログラムに従って各種の処理を実行することによりブラウザ処理部３１１として機能する。ブラウザ処理部３１１は、食材配送支援装置２から通信網Ｎ１を介して提供されるウェブページを操作表示部３３に表示させ、操作表示部３３に対する操作を食材配送支援装置２に入力するブラウザ処理を実行することが可能である。なお、制御部３１に含まれる一部又は全部の処理部は電子回路で構成されていてもよい。
【００１９】
ユーザー端末３は、当該ユーザー端末３に表示される所定のギフト配送ページ（不図示）にアクセスすることが可能である。前記ギフト配送ページでは、例えば、ギフトとして配送する配送対象の食材が選択可能であり、当該食材の数量、配送元の氏名及び住所、配送先の氏名及び住所などの情報を入力することが可能である。また、ユーザー端末３は、当該ユーザー端末３に表示される所定の配送情報編集ページ（図７参照）にアクセスすることが可能である。前記配送情報編集ページでは、ギフトの受取人が、配送対象の食材の配送先を指定することが可能である。なお、前記ギフト配送ページ及び前記配送情報編集ページは、食材配送支援装置２などによって提供されるＷｅｂページである。
【００２０】
［施設端末４］
施設端末４は、各種の食材を調理可能な料理人が勤務する施設の管理者又は従業員によって操作される情報処理装置である。なお、本実施形態では、前記施設が飲食店舗である場合を例に挙げて説明するが、前記施設には、市場、ホテル、又は旅館などの食材の調理が可能な施設も含まれる。
【００２１】
図１に示されるように、施設端末４は、制御部４１、記憶部４２、操作表示部４３、及び通信Ｉ／Ｆ４４などを備える。施設端末４は、例えば携帯電話、スマートフォン、タブレット端末、又はパーソナルコンピュータのような情報処理装置である。
【００２２】
通信Ｉ／Ｆ４４は、施設端末４を有線又は無線で通信網Ｎ１に接続し、通信網Ｎ１を介して食材配送支援装置２などの外部機器との間で所定の通信プロトコルに従ったデータ通信を実行するための通信インタフェースである。
【００２３】
操作表示部４３は、各種のウェブページなどの情報を表示する液晶ディスプレイ又は有機ＥＬディスプレイのような表示部と、操作を受け付けるマウス、キーボード、又はタッチパネルなどの操作部とを備えるユーザーインタフェースである。
【００２４】
記憶部４２は、各種の情報を記憶するＨＤＤ（Ｈａｒｄ  Ｄｉｓｋ  Ｄｒｉｖｅ）、ＳＳＤ（Ｓｏｌｉｄ  Ｓｔａｔｅ  Ｄｒｉｖｅ）又はフラッシュメモリーなどの不揮発性の記憶部である。例えば、記憶部４２には、ブラウザプログラム等の制御プログラムが記憶される。具体的に、前記ブラウザプログラムは、ＨＴＴＰ（Ｈｙｐｅｒｔｅｘｔ  Ｔｒａｎｓｆｅｒ  Ｐｒｏｔｏｃｏｌ）等の通信プロトコルに従って食材配送支援装置２等の外部装置との間で通信処理を制御部４１に実行させるための制御プログラムである。
【００２５】
制御部４１は、ＣＰＵ、ＲＯＭ、及びＲＡＭなどの制御機器を有する。前記ＣＰＵは、各種の演算処理を実行するプロセッサである。前記ＲＯＭは、前記ＣＰＵに各種の処理を実行させるためのＢＩＯＳ及びＯＳなどの制御プログラムが予め記憶された不揮発性の記憶部である。前記ＲＡＭは、各種の情報を記憶する揮発性又は不揮発性の記憶部であり、前記ＣＰＵが実行する各種の処理の一時記憶メモリー（作業領域）として使用される。そして、制御部４１は、前記ＲＯＭ又は記憶部４２に予め記憶された各種の制御プログラムを前記ＣＰＵで実行することにより施設端末４を制御する。
【００２６】
具体的に、制御部４１は、記憶部４２に記憶されている前記ブラウザプログラムに従って各種の処理を実行することによりブラウザ処理部４１１として機能する。ブラウザ処理部４１１は、食材配送支援装置２から通信網Ｎ１を介して提供されるウェブページを操作表示部４３に表示させ、操作表示部４３に対する操作を食材配送支援装置２に入力するブラウザ処理を実行することが可能である。なお、制御部４１に含まれる一部又は全部の処理部は電子回路で構成されていてもよい。
【００２７】
ところで、ギフトとして食材が贈られた場合、受取場所に飲食店舗のような調理設備が無かったり、料理人が居なかったりすれば、その食材を活かした調理ができないこと、又は調理すること自体が困難な食材もある。これに対し、本実施形態に係る食材配送支援システム１では、食材ギフトの受取者がその食材ギフトを有効に活用することが可能である。
【００２８】
［食材配送支援装置２］
図１に示されるように、食材配送支援装置２は、制御部２１、記憶部２２、操作表示部２３、及び通信Ｉ／Ｆ２４などを備えるサーバである。なお、食材配送支援装置２は、１台のコンピュータに限らず、複数台のコンピュータが協働して動作するコンピュータシステムであってもよい。また、食材配送支援装置２で実行される各種の処理は、一又は複数のプロセッサによって分散して実行されてもよい。
【００２９】
通信Ｉ／Ｆ２４は、食材配送支援装置２を有線又は無線で通信網Ｎ１に接続し、通信網Ｎ１を介してユーザー端末３、施設端末４などの外部機器との間で所定の通信プロトコルに従ったデータ通信を実行するための通信インタフェースである。
【００３０】
操作表示部２３は、各種の情報を表示する液晶ディスプレイ又は有機ＥＬディスプレイのような表示部と、操作を受け付けるマウス、キーボード、又はタッチパネルなどの操作部とを備えるユーザーインタフェースである。
【００３１】
記憶部２２は、各種の情報を記憶するＨＤＤ（Ｈａｒｄ  Ｄｉｓｋ  Ｄｒｉｖｅ）又はＳＳＤ（Ｓｏｌｉｄ  Ｓｔａｔｅ  Ｄｒｉｖｅ）などの不揮発性の記憶部である。具体的に、記憶部２２には、施設情報Ｄ１、食材対応情報Ｄ２、ユーザー情報Ｄ３、食材配送情報Ｄ４などのデータが記憶される。
【００３２】
また、他の実施形態として、施設情報Ｄ１、食材対応情報Ｄ２、ユーザー情報Ｄ３、食材配送情報Ｄ４などのデータの一部又は全部が、食材配送支援装置２から通信網Ｎ１を介してアクセス可能な他のサーバに記憶されていることも考えられる。この場合、食材配送支援装置２の制御部２１は、前記他のサーバから前記情報を適宜に取得して、後述の食材配送支援処理（図６参照）を実行してもよい。
【００３３】
図２に示されるように、施設情報Ｄ１には、予め登録される施設ごとに対応する施設ＩＤ、パスワード、施設名、エリア、料理ジャンル、予算、テーマ、住所などの情報が含まれる。制御部２１は、例えば施設端末４のユーザー操作に応じて、施設情報Ｄ１を任意に編集又は登録することが可能である。
【００３４】
施設情報Ｄ１における施設ＩＤ及びパスワードは、例えば施設端末４を使用するユーザーを特定するために制御部２１によって実行されるログイン処理などに用いられる。施設ＩＤ及び施設名は、施設を識別するための施設識別情報の一例である。エリアは、施設の所在地を示し、料理ジャンルは、施設で提供される料理のジャンルを示す。予算は、例えば施設の利用について必要な平均的な金額として予め設定された金額である。テーマは、施設の特徴などを示す情報として予め設定された情報であって、例えば「デート」、「忘年会」、「隠れ家」などの各テーマが含まれる。住所は、施設に食材を配送する際に参照される配送先を示す情報である。なお、施設情報Ｄ１では、利用目的、許容人数、クーポン使用可否、飲み放題有無、又は食べ放題有無などの他の情報が登録されていてもよい。
【００３５】
図３に示されるように、食材対応情報Ｄ２では、食材と前記食材が調理可能な施設を示す施設ＩＤ（施設識別情報）とが対応付けて記憶されている。また、食材対応情報Ｄ２では、前記施設各々において各食材を使用して調理可能な料理メニュー又はコースメニューが記憶されている。なお、料理メニュー又はコースメニューについては金額が対応付けて記憶されていてもよい。制御部２１は、例えば施設端末４のユーザー操作に応じて、食材対応情報Ｄ２を任意に編集又は登録することが可能である。図３に示す例では、施設ＩＤ「０００１」の施設で調理可能な食材として「牛肉」が登録されており、その食材を使用して調理可能なメニューとして「ステーキ」、「寿司」、「すき焼コース」等が登録されている。同様に、施設ＩＤ「０００１」の施設では調理可能な食材として「ふぐ」も登録されており、その食材を使用して調理可能なメニューとして「唐揚げ」、「てっさ」、「ふぐ鍋コース」等が登録されている。
【００３６】
図４に示されるように、ユーザー情報Ｄ３には、ギフトの贈り主又は受取者である複数のユーザーに関する情報が登録されている。具体的に、ユーザー情報Ｄ４には、ユーザーごとに、当該ユーザーに対応する「ユーザーＩＤ」、「パスワード」、「ユーザー名」、「メールアドレス」、「エリア」、「住所」などの情報が含まれる。制御部２１は、例えばユーザー端末３又は施設端末４のユーザー操作に応じて、ユーザー情報Ｄ３を任意に編集又は登録することが可能である。
【００３７】
ユーザー情報Ｄ３におけるユーザーＩＤ及びパスワードは、例えばユーザー端末３を使用するユーザーを特定するために制御部２１によって実行されるログイン処理などに用いられる。ユーザーＩＤ及びユーザー名は、ユーザーを識別するためのユーザー識別情報の一例である。エリアは、ユーザーが居住しているエリアを示し、メールアドレスは、ユーザーの連絡先を示す情報である。住所は、ユーザーに食材を配送する際に参照される配送先を示す情報である。
【００３８】
図５に示されるように、食材食材配送情報Ｄ４には、「食材配送ＩＤ」、「配送対象の食材」、「贈り主」、「受取人」、「配送先」、「住所」などの情報が含まれる。制御部２１は、贈り主によるユーザー端末３の操作に応じて食材食材配送情報Ｄ４を任意に編集又は登録することが可能である。また、制御部２１は、食材食材配送情報Ｄ４のうち「配送先」、「住所」については、後述の食材配送支援処理（図６参照）において、受取人によるユーザー端末３の操作に応じて任意に編集又は登録することが可能である。
【００３９】
食材食材配送情報Ｄ４における食材配送ＩＤの情報は、贈り主から受取者に対する食材の配送のレコードを識別するための食材配送識別情報の一例である。配送対象の食材は、贈り主から受取人にギフトとして贈られる食材を示す情報である。贈り主の情報は、贈り主の氏名又はユーザーＩＤ等のユーザー識別情報である。受取人の情報は、受取人の氏名又はユーザーＩＤ等のユーザー識別情報である。配送先の情報は、配送対象の食材の配送先であって、例えば受取人、又は後述の食材配送支援処理（図６参照）で選択される特定の施設を示す。住所の情報は、前記配送先に対応する住所を示す情報である。なお、住所の情報は、後述の食材配送支援処理（図６参照）において、配送先の選択に応じて施設情報Ｄ１又はユーザー情報Ｄ３から抽出されて登録され、若しくは、受取人のユーザー端末３に対する入力操作に応じて任意に登録される。
【００４０】
さらに、記憶部２２には、制御部２１に後述の食材配送支援処理（図６参照）を実行させるための食材配送支援プログラムなどの制御プログラムが記憶されている。例えば、前記食材配送支援プログラムは、ＣＤ又はＤＶＤなどのコンピュータ読取可能な記録媒体に非一時的に記録されており、食材配送支援装置２が備えるＣＤドライブ又はＤＶＤドライブなどの読取装置（不図示）で読み取られて記憶部２２に記憶される。
【００４１】
制御部２１は、ＣＰＵ、ＲＯＭ、及びＲＡＭなどの制御機器を有する。前記ＣＰＵは、各種の演算処理を実行するプロセッサである。前記ＲＯＭは、前記ＣＰＵに各種の演算処理を実行させるためのＢＩＯＳ及びＯＳなどの制御プログラムが予め記憶される不揮発性の記憶部である。前記ＲＡＭは、各種の情報を記憶する揮発性又は不揮発性の記憶部であり、前記ＣＰＵが実行する各種の処理の一時記憶メモリー（作業領域）として使用される。そして、制御部２１は、前記ＲＯＭ又は記憶部２２に予め記憶された各種の制御プログラムを前記ＣＰＵで実行することにより食材配送支援装置２を制御する。
【００４２】
具体的に、制御部２１は、図１に示されるように、受付処理部２１１、検索処理部２１２、提示処理部２１３、設定処理部２１４などの各種の処理部を含む。なお、制御部２１は、前記ＣＰＵで前記食材配送支援プログラムに従った各種の処理を実行することによって前記処理部として機能する。また、一部又は全部の処理部が電子回路で構成されていてもよい。なお、前記食材配送支援プログラムは、複数のプロセッサを各処理部として機能させるためのプログラムであってもよく、例えば複数のプログラムモジュールの集合体であってもよい。
【００４３】
受付処理部２１１は、贈り主が受取者に贈る食材に関する情報を登録し、記憶部２２に記憶される食材食材配送情報Ｄ４（図５参照）に登録する。具体的に、受付処理部２１１は、ユーザー端末３に対する特定のＵＲＬ入力又はアプリケーションの起動などのユーザー操作に応じて当該ユーザー端末３から送信される表示要求に対し、配送対象の食材を選択するためのギフト登録ページ（不図示）をＷｅｂページとして当該ユーザー端末３に表示させる。そして、受付処理部２１１は、前記ギフト登録ページ（不図示）におけるユーザー端末３のユーザー操作に応じて、贈り主から受取者に対する食材の配送に必要な各種の情報入力を受け付け、食材食材配送情報Ｄ４に登録する。
【００４４】
検索処理部２１２は、食材と前記食材が調理可能な施設とが対応付けられた対応情報（食材対応情報Ｄ２）に基づいて配送対象の食材の配送先施設の候補を検索する。具体的に、検索処理部２１２は、食材対応情報Ｄ２に基づいて、配送対象の食材が調理可能な食材として対応付けられた施設を抽出する。特に、検索処理部２１２は、予め設定されるエリア、料理ジャンル、料理メニュー、利用時期、予算、テーマ、又は施設識別情報のいずれか一つ又は複数の項目に関する検索条件を満たす施設を前記配送先施設の候補として検索することも可能である。
【００４５】
提示処理部２１３は、検索処理部２１２による前記配送先施設の候補の検索結果を提示する。具体的に、提示処理部２１３は、前記配送先施設の候補の検索結果をユーザー端末３に送信することにより、当該ユーザー端末３に表示させる。
【００４６】
設定処理部２１４は、提示処理部２１３により提示される前記配送先施設の候補のうちユーザー操作により選択された前記配送先施設を配送先として設定する。具体的に、設定処理部２１５は、食材配送情報Ｄ４における配送先の情報を前記ユーザー操作に応じて登録又は更新する。これにより、例えば前記配送対象の食材の配送の担当者は、前記食材配送情報Ｄ４を参照することにより、当該配送対象の食材の配送先を把握して手配することができる。
【００４７】
［食材配送支援処理］
以下、図６を参照しつつ、食材配送支援装置２の制御部２１によって実行される食材配送支援処理について説明する。
【００４８】
なお、本発明は、当該食材配送支援処理に含まれる一又は複数のステップを実行する食材配送支援方法の発明として捉えることができ、ここで説明する当該食材配送支援処理に含まれる一又は複数のステップが適宜省略されてもよい。なお、前記食材配送支援処理における各ステップは同様の作用効果を生じる範囲で実行順序が異なってもよい。さらに、ここでは制御部２１によって当該食材配送支援処理における各ステップが実行される場合を例に挙げて説明するが、複数のプロセッサによって当該食材配送支援処理における各ステップが分散して実行される食材配送支援方法も他の実施形態として考えられる。
【００４９】
＜ステップＳ１０＞
まず、ステップＳ１０において、制御部２１の受付処理部２１１は、ユーザー端末３へのユーザー操作により食材の配送申し込み開始操作が行われたか否かを判断する。具体的に、受付処理部２１１は、ユーザー端末３から配送情報編集ページを表示させるための表示要求信号を受信した場合に、当該ユーザー端末３に食材の配送情報編集ページの情報を送信して表示させる。例えば、前記表示要求操作は、ユーザー端末３に対して行われる、前記配送情報編集ページに対応するＵＲＬを入力する操作、又は、検索サイトによる前記配送情報編集ページの検索結果を選択する操作に応じて当該ユーザー端末３から食材配送支援装置１に送信される。ここで、前記食材の配送申し込み開始操作が行われたと判断されると（Ｓ１０：Ｙｅｓ）、処理がステップＳ１１に移行し、前記食材の配送申し込み開始操作が行われていないと判断されると（Ｓ１０：Ｎｏ）、処理がステップＳ１３に移行する。
【００５０】
＜ステップＳ１１＞
ステップＳ１１において、受付処理部２１１は、前記配送情報編集ページにおけるユーザー端末３のユーザー操作に応じて、配送対象の食材、配送元、受取人、メールアドレス、配送先、住所などの情報の入力を受け付け、食材配送情報Ｄ４に登録する。前記メールアドレスは、前記食材の配送の申し込み後に当該食材の配送についての情報を受取人宛に送信するために用いられる情報である。
【００５１】
＜ステップＳ１２＞
ステップＳ１２において、制御部２１は、前記ステップＳ１１で登録された食材配送情報Ｄ４に基づいて、前記食材の配送申し込み内容を受取人のメールアドレスに送信する。例えば、制御部２１は、食材配送情報Ｄ４に登録されている「メールアドレス」に基づいて、後述の配送情報編集ページＰ１にアクセスするためのアクセス情報を電子メールで各ユーザーに通知する。なお、受取人への通知方法はこれに限らない。例えば、前記ステップＳ１２が省略され、食材配送支援装置１の管理者が食材配送情報Ｄ４に登録された「住所」を宛先として、前記アクセス情報が記載されたハガキ又はレターが郵送されることも考えられる。なお、前記アクセス情報は、前記配送情報編集ページＰ１のＵＲＬ又は当該ＵＲＬを示すＱＲコード（登録商標）などの二次元バーコードである。なお、前記配送情報編集ページＰ１のＵＲＬには、食材配送情報Ｄ４における特定の配送対象の食材の配送に関するレコードデータを識別可能なデータが含まれる。
【００５２】
＜ステップＳ１３＞
ステップＳ１３において、制御部２１の受付処理部２１１は、各ユーザーのユーザー端末３からの前記アクセス情報に基づく配送情報編集ページＰ１へのアクセス要求が行われたか否かを判断する。具体的に、ユーザー端末３の制御部３１は、ユーザー端末３で実行されるブラウザソフト上で配送情報編集ページＰ１のＵＲＬが入力された場合、又はユーザー端末３が備えるカメラを用いて前記二次元コードが読み取られた場合に、前記アクセス要求を食材配送支援装置１に送信する。これにより、受付処理部２１１は、ユーザー端末３から前記アクセス要求が行われたと判断する。ここで、配送情報編集ページＰ１へのアクセス要求が行われたと判断されると（Ｓ１３：Ｙｅｓ）、処理がステップＳ１４に移行し、配送情報編集ページＰ１へのアクセス要求が行われていなければ（Ｓ１３：Ｎｏ）、処理がステップＳ１１に戻される。
【００５３】
＜ステップＳ１４＞
ステップＳ１４において、制御部２１の受付処理部２１１は、前記アクセス要求を行ったユーザー端末３に配送情報編集ページＰ１（図７参照）を表示させる。そして、制御部２１は、以下の処理において、配送情報編集ページＰ１におけるユーザー操作に応じて食材の配送先の情報を登録する。
【００５４】
図７に示されるように、配送情報編集ページＰ１には、受取者であるユーザー宛に食材が贈られている旨のメッセージが表示される。また、配送情報編集ページＰ１には、チェックボックスＣＨ１１〜ＣＨ１３と、領域Ａ１１〜Ａ１４と、操作キーＫ１１〜Ｋ１３とが表示されている。
【００５５】
チェックボックスＣＨ１１〜ＣＨ１３は、受付処理部２１１が食材の配送先の選択操作をユーザーから受け付けるための操作部である。具体的に、チェックボックスＣＨ１１は、食材を受取者の住所で受け取る場合に選択される操作部である。チェックボックスＣＨ１２は、食材を受取者の住所とは異なる他の住所で受け取る場合に選択される操作部である。チェックボックスＣＨ１３は、食材を調理する施設に配送する場合に選択される操作部である。
【００５６】
領域Ａ１１、Ａ１２、Ａ１３は、チェックボックスＣＨ１１、Ｃ１２、Ｃ１３にそれぞれ対応する領域である。領域Ａ１１には、食材を受取者の住所で受け取る場合の宛先となる受取者の氏名及び住所などの情報が食材配送情報Ｄ４に基づいて表示され、当該情報は変更可能であってもよい。領域Ａ１２には、食材を他の住所で受け取る場合の宛先となる受取者の氏名及び住所の入力操作を受け付ける入力欄が表示される。領域Ａ１３には、食材を施設に配送する場合の宛先となる施設の検索を行うための情報が表示される。そして、検索処理部２１２は、領域Ａ１３において、都道府県、エリア、料理ジャンル、料理メニュー、来店日、時間、予算、テーマ、キーワードなどの各種の項目についての検索条件の入力を受け付けることが可能である。
【００５７】
領域Ａ１３における各項目の入力操作は、ユーザー端末３に対する任意の文字入力操作によって行われてもよいが、一又は複数の項目について、予め設定された入力候補の中から選択入力が可能であってもよい。具体的に、検索処理部２１２は、領域Ａ１３における特定の項目が選択された場合に、入力候補の一覧をプルダウンメニューで表示させ、ユーザー操作による選択を受け付ける。なお、検索処理部２１２は、各項目における入力候補を、施設情報Ｄ１、食材対応情報Ｄ２、ユーザー情報Ｄ３、及び食材配送情報Ｄ４などから抽出することが考えられる。例えば、「料理メニュー」の項目のプルダウンメニューには、食材対応情報Ｄ２に登録されている料理メニュー及びコースメニューが選択候補として表示される。なお、「エリア」に、食材配送情報Ｄ４に登録された配送先の住所に基づいて初期入力されてもよい。
【００５８】
操作キーＫ１１は、検索処理を開始するための操作部である。操作キーＫ１２は、検索履歴又は配送履歴を表示させるための操作部である。例えば、操作キーＫ１２が操作されると、検索処理部２１２は、同一の受取人が過去に検索した履歴又は配送先として登録した履歴の一覧を表示させ、その一覧から今回の配送先の選択操作を受け付けることが考えられる。また、操作キーＫ１３は、配送先の登録を確定させるための操作部である。
【００５９】
＜ステップＳ１５＞
そして、ステップＳ１５において、検索処理部２１２は、検索操作が行われたか否かを判断する。具体的に、検索処理部２１２は、配送情報編集ページＰ１に表示されている操作キーＫ１１が操作された場合に、検索操作が行われたと判断する。なお、検索処理部２１２は、いずれの検索条件も入力されていない状態であっても操作キーＫ１１が操作された場合には検索操作が行われたと判断する。一方、他の実施形態として、検索処理部２１２が、少なくとも１つの検索条件の項目について入力が行われた状態で操作キーＫ１１が操作された場合に検索操作が行われたと判断することも考えられる。ここで、前記検索操作が行われたと判断されると（Ｓ１５：Ｙｅｓ）、処理がステップＳ１６に移行し、前記検索操作が行われていなければ（Ｓ１５：Ｎｏ）、処理がステップＳ１８に移行する。
【００６０】
＜ステップＳ１６＞
ステップＳ１６において、検索処理部２１２は、前記配送対象の食材と前記検索条件とに基づいて当該食材の配送先施設の候補を検索する検索処理を実行する。具体的に、検索処理部２１２は、施設情報Ｄ１、食材対応情報Ｄ２、及び食材配送情報Ｄ４に基づいて、前記配送対象の食材が調理可能であり、且つ、前記検索条件に合致する施設を配送先施設の候補として検索する。なお、前記検索条件が一つも入力されていない場合、検索処理部２１２は、配送対象の食材が調理可能な全ての施設を検索することになる。
【００６１】
具体的に、検索処理部２１２は、領域Ａ１３において都道府県又はエリアなどの場所の項目が前記検索条件として入力されている場合は、当該場所に存在する施設であって前記配送対象の食材が調理可能な施設を、前記配送対象の食材の配送先施設の候補として検索する。また、検索処理部２１２は、領域Ａ１３において料理ジャンル又は料理メニューなどの調理内容の項目が前記検索条件として入力されている場合は、当該料理ジャンルに該当する施設又は当該料理メニューを提供可能な施設であって前記配送対象の食材が調理可能な施設を、前記配送対象の食材の配送先施設の候補として検索する。また、検索処理部２１２は、領域Ａ１３において利用日又は時間などの利用時期の項目が前記検索条件として入力されている場合は、当該利用時期に利用可能な施設であって前記配送対象の食材が調理可能な施設を、前記配送対象の食材の配送先施設の候補として検索する。
【００６２】
また、検索処理部２１２は、領域Ａ１３において予算又はテーマなどの項目が前記検索条件として入力されている場合は、施設情報Ｄ１に設定された予算が前記検索条件の予算金額以内である施設又は施設情報Ｄ１に設定されたテーマが前記検索条件のテーマに合致又は類似する施設であって、前記配送対象の食材が調理可能な施設を、前記配送対象の食材の配送先施設の候補として検索する。また、検索処理部２１２は、領域Ａ１３においてキーワードの項目に前記検索条件となる文字が設定された場合は、当該文字の情報が施設名、メニュー、又は施設の説明文などの施設情報に含まれる施設であって前記配送対象の食材が調理可能な施設を、前記配送対象の食材の配送先施設の候補として検索する。なお、複数の項目について前記検索条件が入力されている場合、検索処理部２１２は、複数の項目についての前記検索条件が全て満たされる施設であって前記配送対象の食材が調理可能な施設を、前記配送対象の食材の配送先施設の候補として検索する。
【００６３】
ところで、前記配送対象の食材は、施設に配達されてから調理開始までに時間を要する場合、又は、調理内容によっては調理時間に数日を要する場合がある。そのため、施設が予約される際には、配達後の準備等に必要な時間も考慮して予約が行われる必要がある。そのため、検索処理部２１２は、前記配送対象の食材が調理可能な施設を検索する際、当該食材に対応付けて予め設定された猶予期間経過以降を前記利用時期として検索することが考えられる。具体的に、検索処理部２１２は、領域Ａ１３における「来店日」、「時間」の欄で入力可能な日時を、前記猶予期間経過以降の日時に制限することが考えられる。さらに、領域Ａ１３における「来店日」、「時間」の欄に情報が入力されていない場合、検索処理部２１２は、前記猶予期間経過前の日時は検索対象から除外することも考えられる。
【００６４】
また、食材の配送の申し込み時点などに前記配送対象の食材に消費期限（又は賞味期限）が既に設定されている場合がある。この場合、検索処理部２１２は、前記配送対象の食材が調理可能な施設を検索する際、当該食材に対応付けて予め設定された消費期限経過前を前記利用時期として検索することが考えられる。具体的に、検索処理部２１２は、領域Ａ１３における「来店日」、「時間」の欄で入力可能な日時を、前記消費期限経過前の日時に制限することが考えられる。さらに、領域Ａ１３における「来店日」、「時間」の欄に情報が入力されていない場合、検索処理部２１２は、前記消費期限経過後の日時は検索対象から除外することも考えられる。
【００６５】
＜ステップＳ１７＞
そして、ステップＳ１７において、提示処理部２１３は、検索処理部２１２で行われた検索処理の検索結果をユーザーに提示する。具体的に、提示処理部２１３は、前記検索結果を含む検索結果ページＰ２（図８参照）をユーザー端末３に表示させる。なお、ユーザー端末３における前記検索結果の表示は、ユーザー端末３のブラウザ処理部３１１によって行われる。
【００６６】
図８に示されるように、検索結果ページＰ２では、配送対象の食材が調理可能な施設であって、且つ、前記検索条件を満たす施設の一覧が表示される。具体的に、検索結果ページＰ２では、施設各々に対応して領域Ａ２１が表示される。領域Ａ２１各々には、施設名などの施設識別情報と、施設の代表的な画像と、施設の説明文と、メニュー領域Ａ２２と、カレンダー領域Ａ２３とが表示される。なお、検索結果ページＰ２では、ユーザー操作に応じて上下方向にスクロール表示が可能である。
【００６７】
メニュー領域Ａ２２において、検索処理部２１２は、各施設で前記配送対象の食材を使用可能な料理メニュー又はコースメニューなどを食材対応情報Ｄ２に基づいて提示する。例えば、図８に示す例では、食材「ふぐ」が調理可能な施設「レストランＢ２」では、その食材を使用して「ふぐの唐揚げ」、「てっさ」、「ふぐ鍋コース」の提供を受けることが可能である旨が示されている。なお、食材対応情報Ｄ２に料理メニュー又はコースメニューの金額が記録されている場合には、当該金額が料理メニュー又はコースメニューと共に表示される。
【００６８】
また、カレンダー領域Ａ２３には、前記施設の利用可能な時期を示す空席情報がカレンダーで表示されている。例えば、カレンダー領域Ａ２３に表示されるカレンダーの日程のうち、下方に「○」が表示されている日程は利用可能である旨を示し、「×」が表示されている日程は満席であるため利用できない旨を示す。なお、例えば前記検索条件として施設の施設名がキーワードに設定されており、その施設名に合致する施設が一つである場合には、その施設の情報のみが検索結果ページＰ２に表示される。この場合にも、検索処理部２１２は、当該検索結果ページＰ２には当該施設の情報と当該施設が利用可能な時期を示すカレンダー領域Ａ２３とを提示する。
【００６９】
ところで、前述したように、施設の予約が行われる際には、配達後の準備等に必要な時間も考慮して予約が行われる必要がある。そのため、検索処理部２１２は、カレンダー領域Ａ２３において、前記施設が利用可能な時期のうち前記食材に対応付けて予め設定された猶予期間経過後の時期を利用可能な時期として提示することが考えられる。例えば、前記猶予期間の経過前の日程については、空席情報として「×」が表示されること、又は、空席情報がグレーアウト表示されることが考えられる。また、カレンダー領域Ａ２３に、前記猶予期間の経過後の日程だけが表示され、前記猶予期間経過前の日程は表示が省略されることも考えられる。
【００７０】
そして、検索処理部２１２は、カレンダー領域Ａ２３における利用可能日程が選択されると、当該施設に対応する領域Ａ２１を展開（拡張）して、当該施設の利用日時を設定するための予約領域Ａ２４（図９参照）を表示させる。なお、検索処理部２１２は、カレンダー領域Ａ２３の利用可能日程の選択に限らず、例えば領域Ａ２１内の施設識別情報である施設名の選択操作、又は領域Ａ２１自体の選択操作などに応じて予約領域Ａ２４を表示させてもよい。また、検索処理部２１２は、領域Ａ２１内の施設識別情報である施設名の選択操作、又は領域Ａ２１自体の選択操作などに応じて、当該施設識別情報に対応する施設について予め登録されている詳細情報を表示させてもよい。
【００７１】
図９に示されるように、検索処理部２１２は、予約領域Ａ２４におけるユーザー操作により、人数、時間、メニューなどの予約項目についての入力操作を受け付ける。予約領域Ｓ２４において、前記メニューとしては、予約領域Ａ２４が表示された領域Ａ２１に対応する施設について食材対応情報Ｄ２に登録されている料理メニュー又はコースメニューが選択可能である。
【００７２】
なお、検索処理部２１２は、予約領域Ａ２４において、現在表示中の施設の選択をキャンセルするための操作キーＫ２１が操作されると、当該施設の予約領域Ａ２４の表示を終了させ、検索結果ページＰ２の表示状態を図８に示される一覧表示状態に戻す。一方、検索処理部２１２は、前記予約項目が入力された後、入力操作を確定させるための操作キーＫ２２が操作されると、前記予約項目の入力内容を確定して配送情報編集ページＰ１（図７参照）の領域Ａ１４に入力する。なお、検索処理部２１２は、配送情報編集ページＰ１の領域Ａ１４において、ユーザー操作に応じて前記予約項目の内容を直接入力すること又は前記予約項目の内容を変更することも可能である。
【００７３】
＜ステップＳ１８＞
ステップＳ１８において、提示処理部２１３は、検索結果ページＰ２の予約領域Ａ２４により、配送先の施設を予約するための予約情報が入力されたか否かを判断する。具体的に、提示処理部２１３は、予約領域Ａ２４において、人数、時間、メニューが入力された後、操作キーＫ２２が操作された場合に前記予約情報が入力されたと判断する。ここで、前記予約情報が入力されたと判断されると（Ｓ１８：Ｙｅｓ）、処理がステップＳ１９に移行し、前記予約情報が入力されるまでの間は（Ｓ１８：Ｎｏ）、処理がステップＳ１８で待機する。
【００７４】
＜ステップＳ１９＞
ステップＳ１９において、設定処理部２１４は、ユーザー操作に応じて配送対象の食材の配送先に関する情報の登録操作が行われたか否かを判断する。具体的に、設定処理部２１４は、配送情報編集ページＰ１において操作キーＫ１１が操作された場合に、配送先の登録操作が行われたと判断する。ここで、登録操作が行われたと判断されると（Ｓ１９：Ｙｅｓ）、処理がステップＳ２０に移行し、登録操作が行われていないと判断されると（Ｓ１９：Ｎｏ）、処理がステップＳ１５に戻される。
【００７５】
＜ステップＳ２０＞
ステップＳ２０において、設定処理部２１４は、配送情報編集ページＰ１でユーザー操作により選択された配送先を設定する。具体的に、設定処理部２１４は、チェックボックスＣＨ１１、ＣＨ１２、又はＣＨ１３のうち選択されたチェックボックスに対応する領域Ａ１１、Ａ１２、又はＡ１４に入力された情報を、前記配送対象の食材の配送先の情報として食材配送情報Ｄ４を更新する。
【００７６】
例えば、設定処理部２１４は、チェックボックスＣＨ１が選択されている場合、食材配送情報Ｄ４における氏名及び住所の登録状態を維持し、チェックボックスＣＨ１が選択されており、領域Ａ１１において氏名又は住所が変更された場合には、食材配送情報Ｄ４における配送先の氏名又は住所を更新する。同様に、設定処理部２１４は、チェックボックスＣＨ２が選択されている場合、領域Ａ１２に入力されている氏名及び住所を食材配送情報Ｄ４における配送先の氏名又は住所として更新する。
【００７７】
また、設定処理部２１４は、チェックボックスＣＨ３が選択されている場合、領域Ａ１４に入力された施設を配送先として設定し、当該施設に対応する住所を施設情報Ｄ１から抽出して食材配送情報Ｄ４を更新する。これにより、前記配送対象の食材は、食材配送情報Ｄ４に登録された配送先である施設に配送されることになり、ユーザーは、当該施設で食材の提供を受けることが可能である。
【００７８】
また、設定処理部２１４は、前記食材配送情報Ｄ４の各データが登録又は更新された場合に、当該データを配送担当者又は配送会社などの予め設定された通知先にメール等によって通知する通知処理を実行してもよい。さらに、設定処理部２１４は、前記食材配送情報Ｄ４の各データが登録又は更新された場合に、当該データを当該データに対応する贈り主及び受取者のいずれか一方又は両方にメール等によって通知する通知処理を実行してもよい。
【００７９】
以上説明したように、本実施形態に係る食材配送支援装置２では、配送対象の食材を受け取る場所の候補として、当該食材を調理可能な施設が提示され、ユーザーは、当該施設を配送先として選択して設定することが可能である。即ち、ユーザーは、自分で調理する場合に限らず、配送対象の食材を使用して施設の料理人などによって調理されたメニューの提供を受けることができ、配送対象の食材の有効活用を図ることが可能である。
【００８０】
なお、例えばユーザーが配送対象の食材が調理可能な施設を探す場合には、配送対象の食材が調理可能であるか否かが不明な状態で施設の情報を順次参照し、調理が可能であって食材の持ち込みが許容されると推測される店舗を探すことになる。これに対し、食材配送支援装置２では、配送対象の食材とその食材が調理可能な施設との対応関係に基づいて、その食材が調理可能な施設に絞り込んで検索が行われるため、ユーザー端末３に対する操作、ユーザー端末３と食材配送支援装置２との間の通信などが抑制される。従って、食材配送支援装置２によれば、コンピュータリソースの有効利用、及び通信トラフィックの低減が可能となる。
【００８１】
また、検索処理部２１２は、領域Ａ１３で設定される検索条件とは別に、ユーザー操作に応じて一又は複数の項目についての除外条件を設定可能であることも考えられる。この場合、検索処理部２１２は、前記検索条件に合致し、前記除外条件に合致せず、且つ、前記配送対象の食材が調理可能な施設を検索する。これにより、ユーザーは、特定の条件を満たす施設を意図的に検索対象から除外することが可能になるため利便性が向上する。例えば、ユーザーが好まない特定の料理ジャンル、料理メニュー、又はエリアなどを除外することが可能である。
【００８２】
さらに、検索処理部２１２は、前記検索結果ページＰ２におけるユーザー操作に応じて、前記検索条件又は前記除外条件などの変更を受け付けて再検索（絞込）を実行し、当該検索結果ページＰ２を更新することが可能であってもよい。また、検索処理部２１２は、前記検索結果ページＰ２におけるユーザー操作に応じて検索結果として表示されている施設を、予め設定された複数の条件から選択された条件に基づいて並び替えて表示させることが可能であってもよい。
【００８３】
ところで、本実施形態では、食材が一つの配送先施設に配送される場合を例に挙げて説明した。一方、食材配送支援システムでは、食材を複数に分割して複数の施設を配送先施設として設定すること、又は食材を複数に分割して一つの施設に異なる時期を利用時期として設定することが可能であってもよい。なお、食材の分割の可否及び分割方法については、配送対象となる食材ごとに予め設定されていることが考えられる。例えば、食材が魚である場合は頭と身とが分割可能であり、食材が肉である場合には重量単位で分割可能である旨が予め設定されていることが考えられる。
【００８４】
具体的に、受付処理部２１１は、前記ギフト配送ページ（不図示）又は前記配送情報編集ページＰ１におけるユーザー操作に応じて、食材を少なくとも二つ以上に分割するための分割要求操作を受け付け可能である。なお、前記分割要求操作には、分割数と共に各分割の食材量の設定操作も含まれる。例えば、受付処理部２１１は、牛肉１ｋｇを４００ｇ、４００ｇ、２００ｇの三つに分割する操作を受け付ける。そして、前記食材配送支援処理（図６参照）において、検索処理部２１２、提示処理部２１３、及び設定処理部２１４は、各食材について前記ステップＳ１４〜Ｓ２０の処理を実行する。これにより、前記設定処理部２１４は、複数に分割された食材について、ユーザー操作に応じて配送先施設を個別に設定することが可能である。なお、前記ギフト配送ページ（不図示）において複数の食材が配送対象として選択された場合にも同様に、その食材ごとに個別に配送先施設を選択することが可能であってもよい。この場合にも、検索処理部２１２、提示処理部２１３、及び設定処理部２１４が、その食材各々について、前記ステップＳ１４〜Ｓ２０の処理を実行する。
【００８５】
また、受付処理部２１１が、食材を少なくとも二つ以上に分割するための分割要求操作を受け付け可能な構成において、設定処理部２１４が、前記配送情報編集ページＰ１におけるユーザー操作に応じて、分割された食材について配送先施設における利用時期を個別に受け付け可能であることが考えられる。具体的には、検索処理部２１２、提示処理部２１３、及び設定処理部２１４が、その食材各々について、前記ステップＳ１４〜Ｓ２０の処理を実行する。このとき、分割された食材の配送先施設は、一又は複数であってよい。これにより、前記設定処理部２１４は、複数に分割された食材について、ユーザー操作に応じて異なる利用時期を個別に設定することが可能である。また、受付処理部２１１が、前記ギフト配送ページ（不図示）において、食材を分割するための設定及びその分割後の食材について、ユーザー操作に応じて異なる配送時期を個別に設定することが可能であってもよい。
【００８６】
さらに、食材を複数に分割した場合には、分割した後の各部位によって調理可能な施設が異なることが考えらえる。例えば、食材が魚であって頭と身とに二分割された場合、頭の方の調理が可能な施設と、身の方の調理が可能な施設とが異なる可能性がある。そこで、食材対応情報Ｄ２において、食材の部位と前記食材の部位が調理可能な施設を示す施設ＩＤとが対応付けて記憶されていることが考えられる。そして、検索処理部２１２は、配送対象の食材の部位が調理可能な施設を食材対応情報Ｄ２から抽出することが考えられる。これにより、食材の部位ごとに配送先施設を適切に設定することが可能である。
【００８７】
［発明の付記］
以下、上述の実施形態から抽出される発明の概要について付記する。なお、以下の付記で説明する各構成及び各処理機能は取捨選択して任意に組み合わせることが可能である。
【００８８】
＜付記１＞
食材と前記食材が調理可能な施設とが対応付けられた対応情報に基づいて配送対象の食材の配送先施設の候補を検索する検索処理部と、
前記配送先施設の候補の検索結果を提示する提示処理部と、
前記提示処理部により提示される前記配送先施設の候補のうちユーザー操作により選択された前記配送先施設を配送先として設定する設定処理部と、
を備える食材配送支援装置。
【００８９】
＜付記２＞
前記検索処理部は、予め設定されるエリア、料理ジャンル、料理メニュー、利用時期、予算、テーマ、又はキーワードのいずれか一つ又は複数の項目に関する検索条件を満たす施設を前記配送先施設の候補として検索する、
付記１に記載の食材配送支援装置。
【００９０】
＜付記３＞
前記検索処理部は、前記利用時期の項目が検索条件として設定された場合は当該利用時期に利用可能な施設を前記配送先施設の候補として検索する、
付記２に記載の食材配送支援装置。
【００９１】
＜付記４＞
前記検索処理部は、前記食材に対応付けて予め設定された猶予期間経過以降を前記利用時期として検索する、
付記２又は３に記載の食材配送支援装置。
【００９２】
＜付記５＞
前記提示処理部は、前記キーワードの項目に検索条件として文字が設定された場合は当該文字を含む施設の情報と当該施設が利用可能な時期とを提示する、
付記２〜４のいずれかに記載の食材配送支援装置。
【００９３】
＜付記６＞
前記提示処理部は、前記施設が利用可能な時期のうち前記食材に対応付けて予め設定された猶予期間経過後の時期を利用可能な時期として提示する、
付記５に記載の食材配送支援装置。
【００９４】
＜付記７＞
前記提示処理部は、前記配送先施設の候補で前記配送対象の食材を使用可能な料理メニュー又はコースメニューを提示可能である、
付記１〜６のいずれかに記載の食材配送支援装置。
【００９５】
＜付記８＞
前記設定処理部は、前記食材を分割するための設定及び分割後の前記食材について異なる配送時期又は利用時期を設定可能である、
付記１〜７のいずれかに記載の食材配送支援装置。
【００９６】
＜付記９＞
前記設定処理部は、前記食材を分割するための設定及び分割後の前記食材について異なる前記配送先施設を設定可能である、
付記１〜８のいずれかに記載の食材配送支援装置。
【００９７】
＜付記１０＞
食材と前記食材が調理可能な施設とが対応付けられた対応情報に基づいて配送対象の食材の配送先施設の候補を検索するステップと、
前記配送先施設の候補の検索結果を提示するステップと、
前記提示される前記配送先施設の候補のうちユーザー操作により選択された前記配送先施設を配送先として設定するステップと、
をコンピュータによって実行する食材配送支援方法。
【００９８】
＜付記１１＞
食材と前記食材が調理可能な施設とが対応付けられた対応情報に基づいて配送対象の食材の配送先施設の候補を検索するステップと、
前記配送先施設の候補の検索結果を提示するステップと、
前記提示される前記配送先施設の候補のうちユーザー操作により選択された前記配送先施設を配送先として設定するステップと、
をコンピュータに実行させるための食材配送支援プログラム。
【符号の説明】
【００９９】
１  食材配送支援システム
２  食材配送支援装置
２１  制御部
２１１  受付処理部
２１２  検索処理部
２１３  提示処理部
２１４  設定処理部
３  ユーザー端末
４  施設端末
【図１】
2019087147.tif 000003
【図２】
2019087147.tif 000004
【図３】
2019087147.tif 000005
【図４】
2019087147.tif 000006
【図５】
2019087147.tif 000007
【図６】
2019087147.tif 000008
【図７】
2019087147.tif 000009
【図８】
2019087147.tif 000010
【図９】
2019087147.tif 000011